(57)【特許請求の範囲】
【請求項１】
車体のフレーム上に搭載される断熱荷箱の壁構造であって、断熱荷箱は外板と、外板の内側に接合される補強材を有し、外板の内側に接合される断熱性のユニット固定用骨材と、内板と真空断熱パネルとを発泡ウレタンと共に一体化して形成される真空断熱パネルユニットと、真空断熱パネルユニットをユニット固定用骨材に着脱自在に接合する接合手段を備える断熱壁構造。
【請求項２】
車体のフレーム上に搭載される断熱荷箱の壁構造であって、断熱荷箱は外板と、外板の内側に接合される補強材を有し、外板の内側に接着されるスチレンフォームと、外板の内側に接合される断熱性のユニット固定用骨材と、内板と真空断熱パネルとを発泡ウレタンと共に一体化して形成される真空断熱パネルユニットと、真空断熱パネルユニットをユニット固定用骨材に着脱自在に接合する接合手段と、真空断熱パネルユニットと補強材に接着する接着剤と、外板と真空断熱パネルユニットの間に充填される発泡ウレタンフォームを備える断熱壁構造。
【請求項３】
真空断熱パネルユニットは、内板と、内板に接合される真空断熱パネルと、真空断熱パネルを囲むブロック状の発泡ウレタンを有する請求項１又は２記載の断熱壁構造。
【請求項４】
車体のフレーム上に搭載される断熱荷箱の壁構造であって、断熱荷箱は外板と、外板の内側に接合される補強材を有し、外板の内側に接合される断熱性のユニット固定用骨材と、ユニット固定用骨材の間に配設される真空断熱パネルと、発泡スチレンスラブを接着して構成した真空断熱パネルユニットと、真空断熱パネルユニットと外板の間に配設される発泡スチレンスラブと、真空断熱パネルユニットと、補強材および発泡スチレンスラブを接着する接着剤と、ユニット固定用骨材に着脱自在に接合される内板を備える断熱壁構造。
【発明の詳細な説明】
【０００１】
【発明の属する技術分野】
本発明は、冷凍車や保冷車等に装備される車両用断熱荷箱に関し、特に断熱荷箱の断熱壁構造に関する。
【０００２】
【従来の技術】
図１は、本発明を適用する保冷車、冷凍車の一般構造を示す。
車両１は、車体のフレーム５上に断熱荷箱１０を搭載した構造を有する。
【０００３】
図２は、断熱荷箱を構成する壁部材２０の断面構造を示し、アルミ又はＦＲＰ製の外板２２と同じくアルミ又はＦＲＰ製の内板２４の間にポリスチレンフォーム又はポリウレタンフォームの板材３０を挾み込み、接着剤４０で接合した構造が用いられていた。
【０００４】
この種の断熱荷箱に対する要求としては、冷凍車の冷凍庫の予冷時間の短縮化や庫内容積拡大が望まれている。ここで、予冷時間は、荷物の積み込み前に冷凍庫内を所定の温度（低温）へ冷し込む時間である。
その短縮化は、冷凍庫への外気からの熱の進入を減少させる必要がある。そのためには、冷凍庫壁の断熱性の向上が必要となる。庫内容積拡大は、特に横幅方向である。冷凍庫の外幅寸法は、法規により規制されている。従って、庫内寸法の拡大は、断熱材の薄肉化が必要である。
壁の薄肉化も、断熱性能を現行同等と仮定した場合、冷凍庫壁の断熱性の向上が必要である。従って、これらのニーズを満足させるために、壁材の断熱性向上のための一つの手法としては、現在の発泡プラスチックフォームより熱伝導率の低い真空断熱パネルの応用が考えられる。
【０００５】
真空断熱パネルは、家電冷蔵庫の一部に既に採用されている。家電冷蔵庫で使用される真空断熱パネルは、連続発泡のウレタンフォームをアルミラミネートフィルム製の袋に入れ、真空雰囲気で密閉（シール）したものである。その真空断熱パネルを使用した冷蔵庫壁の構造は、外板にスチール、内板に真空成形等で作られたＡＢＳ樹脂等の板、その間に真空断熱パネルが外板にホットメルト系接着剤で固定され、真空断熱パネルと内板及び外板と内板の空間に独立発泡のウレタンフォームが現場発泡で形成されている。外板、内板、アルミラミネートフィルムと独立発泡のウレタンフォームの接合は、ウレタンフォームの自己接着性により強固に接合されている。
この種の真空断熱パネルは、例えば特開平４−２５７６８５号公報に開示されている。
【０００６】
図３は、真空断熱パネル５０の断面構造を示し、約０．０８ｍｍの厚さ寸法を有するアルミラミネートフィルム５２内に連続発泡ウレタンフォーム５５を充填し、真空雰囲気中でシールをしたものである。
【０００７】
【発明が解決しようとする課題】
車両用断熱荷箱の壁部材内に真空断熱パネルを挿入することにより、断熱効果の向上を図ることができる。しかしながら、車両用断熱荷箱への荷物の積み降ろしには、フォークリフトが使用されることが多く、フォークリフトの爪より断熱壁が突かれて損傷を受ける場合がある。この傷が真空断熱パネルのフィルムを貫通する断熱効果が低下してしまう。
そこで、本発明は上述した不具合を解消する断熱荷箱用の壁構造を提供するものである。
【０００８】
【課題を解決するための手段】
本発明の断熱壁構造は基本的手段として、外板と、外板の内側に接合される補強材と、外板の内側に接合される断熱性のユニット固定用骨材と、内板と真空断熱パネルとを発泡ウレタンと共に一体化して形成される真空断熱パネルユニットと、真空断熱パネルユニットをユニット固定用骨材に着脱自在に接合する接合手段を備える。
【０００９】
また、外板と、外板の内側に接合される補強材と、外板の内側に接着されるスチレンフォームと、外板の内側に接合される断熱性のユニット固定用骨材と、内板と真空断熱パネルとを発泡ウレタンと共に一体化して形成される真空断熱パネルユニットと、真空断熱パネルユニットをユニット固定用骨材に着脱自在に接合する接合手段と、真空断熱パネルユニットと補強材に接着する接着剤と、外板と真空断熱パネルユニットの間に充填される発泡ウレタンフォームを備えるものである。
そして、真空断熱パネルユニットは、内板と、内板に接合される真空断熱パネルと、真空断熱パネルを囲むブロック状の発泡ウレタンを有するものである。
【００１０】
さらに、本発明の断熱壁構造は、外板と、外板の内側に接合される補強材と、外板の内側に接合される断熱性のユニット固定用骨材と、ユニット固定用骨材の間に配設される真空断熱パネルと発泡スチレンスラブを接着して構成した真空断熱パネルユニットと、真空断熱パネルユニットと外板の間に配設される発泡スチレンスラブと、真空断熱パネルユニットと補強材および発泡スチレンスラブを接着する接着剤と、ユニット固定骨材に着脱自在に接合される内板を備えることもできる。
【００１１】
【発明の実施の形態】
図４は本発明の断熱壁構造を示す説明図である。
全体を符号１００で示す壁構造は、金属やＦＲＰ製の外板１１０と、外板１１０の内側にリベット等の機械的接合部１２０を介して固着される補強材１３０を有する。補強材１３０は、例えば中央の平坦面１３２と、その両側に折曲部１３３を介して形成される２つの平坦面１３４を有する。本実施例にあっては、中央の平坦面１３２を利用して外板１１０に固着されるが、両側の平坦面１３４を外板１１０に固着する構造とすることもできる。
【００１２】
また、外板１１０の内側には、適当な間隔毎にユニット固定用骨材１５０がリベット等の接合部１２０により固着される。この骨材１５０は、例えば木材や剛性の高い断熱材などで作られる。
一方、真空断熱パネルユニット１６０は、金属やＦＲＰ製の内板１６２と真空断熱パネル１６５を型にセットした際に、発泡ウレタン１６４を注入してユニット化したものである。
【００１３】
真空断熱パネルは、対向する２枚のアルミラミネートフィルム内に連続発泡材が真空雰囲気中で充填される構造を有する。
充填材としては、例えば、有機物系の連続発泡のウレタンフォーム及び樹脂の発泡フォーム（ポリスチレン，ポリエチレン，ポリプロピレン，フェノール，ユリア，ＡＢＳ，塩化ビニル，ナイロン，エチレン−酢酸ビニル，ラバー等）及び無機物系の発泡パーライト，シリカバルーン，ガラスマイクロバルーン，シリカ，含水珪酸，珪酸カルシウム，珪藻土，メチル化珪酸，炭酸マグネシウム，珪酸アルミナ，カーボンフォーム並びに繊維状ウール（グラスウール，石綿，アスベスト，セラミック繊維，綿ウール，ポリエステルウール，シリカアルミナウール等）等の使用が可能である。
【００１４】
以上のようにして作られた真空断熱パネルユニット１６０をリベットやボルト等の機械的接合部１２０によりユニット固定用骨材１５０に対して固着する。この際に、補強材１３０の平坦面１３４に接着剤１４０を塗布しておき、真空断熱パネル１６５と補強材１３０を接着する。
接着剤としては、熱可塑性接着剤（酢酸ビニル系，アクリル系，ポリアミド系，ポリエステル系，ポリウレタン系等）、熱硬化性接着剤（アミノ系，尿素系，メラミン系，フェノール系，レゾルシノール系，キシレン系，フラン系，エポキシ系，ウレタン系，アクリル系，不飽和ポリエステル系等）、ホットメルト系接着剤，ゴム系接着剤，シアノアクリレート系接着剤，合成水溶性接着剤，エマルジョン接着剤，液状ポリマー接着剤等の使用が可能であるが、特に熱硬化性であるウレタン系，エポキシ系，の接着剤及びホットメルト系接着剤が有効である。
【００１５】
また、真空断熱パネルユニット１６０と外板１１０の間の空間には現場で発泡ウレタンフォーム１７０を注入して断熱効果の向上を図る。
本壁構造は以上のように構成してあるので、真空断熱パネル１６５は外板１１０と内板１６２の中間部に固定されるので、損傷を受ける機会を削減することができる。
【００１６】
また、フォークリフトの爪等で内板又は外板が突き破られて真空断熱パネル１６５が損傷を受けた場合でも、この部分の真空断熱パネルユニット１６０のみを交換するだけで、断熱荷箱全体の断熱機能を回復することができるのである。
【００１７】
図５は本発明の断熱壁構造を示す説明図である。
全体を符号２００で示す壁構造は、金属やＦＲＰ製の外板２１０と、外板２１０の内側にリベット等の機械的接合部２２０を介して固着される補強材２３０を有する。補強材２３０は、例えば中央の平坦面２３２と、その両側に折曲部２３３を介して形成される２つの平坦面２３４を有する。本実施例にあっては、中央の平坦面２３２を利用して外板２１０に固着されるが、両側の平坦面２３４を外板２１０に固着する構造とすることもできる。
【００１８】
また、外板２１０の内側には適当な間隔毎にユニット固定用骨材２５０がリベット等の接合部２２０により固着される。この骨材２５０は、例えば木材や剛性の高い断熱材などで作られる。さらに、外板２１０の内側にはスチレンフォーム２８０が接着される。
【００１９】
一方、真空断熱パネルユニット２６０は、金属やＦＲＰ製の内板２６２と真空断熱パネル２６５を型にセットした際に、発泡ウレタン２６４を注入してユニット化したものである。
以上のようにして作られた真空断熱パネルユニット２６０をリベットやボルト等の機械的接合部２２０によりユニット固定用骨材２５０に対して固着する。この際に、補強材２３０の平坦面２３４に接着剤２４０を塗布しておき、発泡ウレタン２６４と補強材１３０を接着する。
【００２０】
また、真空断熱パネルユニット２６０と外板２１０の間の空間には現場で発泡ウレタンフォーム２７０を注入して断熱効果の向上を図る。
本壁構造は以上のように構成してあるので、真空断熱パネル１６５は内板２６２の内側に固定されるので、損傷を受ける機会を削減することができる。
また、フォークリフトの爪等で外板が突き破られて真空断熱パネル２６５が損傷を受けた場合でも、この部分の真空断熱パネルユニット２６０のみを交換するだけで、断熱荷箱全体の断熱機能を回復することができるものである。
【００２１】
図６は本発明の断熱壁構造を示す説明図である。
全体を符号３００で示す壁構造は、金属やＦＲＰ製の外板３１０と、外板３１０の内側にリベット等の機械的接合部３２０を介して固着される補強材２３０を有する。
補強材１３０は、例えば断面が４辺形のもので、互いに対向する平坦面を有する。
【００２２】
また、外板３１０の内側には、適当な間隔毎にユニット固定用骨材３５０がリベット等の接合部３２０により固着される。この骨材３５０は、例えば木材や剛性の高い断熱材などで作られる。さらに、外板３１０の内側にはスチレンフォーム３８０が装着される。
【００２３】
一方、真空断熱パネルユニット３６０は、金属やＦＲＰ製の内板１６２と真空断熱パネル１６５を型にセットした際に、発泡ウレタン３６４を注入してユニット化したものである。
以上のようにして作られた真空断熱パネルユニット３６０をリベットやボルト等の機械的接合部３２０によりユニット固定用骨材３５０に対して固着する。この際に、補強材３３０の平坦面に接着剤３４０を塗布しておき、発泡ウレタン３６４と補強材３３０を接着する。
【００２４】
また、真空断熱パネルユニット３６０と外板３１０の間の空間には現場で発泡ウレタンフォーム３７０を注入して断熱効果の向上を図る。
本壁構造は以上のように構成してあるので、真空断熱パネル１６５は内板１６２の内側に固定されるので、損傷を受ける機会を削減することができる。
【００２５】
また、フォークリフトの爪等で内板が突き破られて真空断熱パネル３６５が損傷を受けた場合でも、この部分の真空断熱パネルユニット３６０のみを交換するだけで、断熱荷箱全体の断熱機能を回復することができるのである。
【００２６】
図７は本発明の断熱壁構造を示す説明図である。
全体を符号４００で示す壁構造は、金属やＦＲＰ製の外板４１０と、外板４１０の内側にリベット等の機械的接合部４２０を介して固着される補強材４３０を有する。補強材１３０は、例えば断面が四辺形のもので、互いに対向する平坦面を有する。
【００２７】
また、外板４１０の内側には、適当な間隔毎にユニット固定用骨材４５０がリベット等の接合部４２０により固着される。この骨材４５０は、例えば木材や剛性の高い断熱材などで作られる。
一方、真空断熱パネルユニット４６０、スラブ状の発泡スチレン４６４と真空断熱パネル４６５を接着剤４４０により接着した構成を有する。
以上のようにして作られた真空断熱パネルユニット４６０を接着剤４４０を介して補強材４３０に接着する。
【００２８】
また、真空断熱パネルユニット４６０と外板４１０の間の空間には、スラブ状の発泡スチレン４６４を挾んで断熱効果の向上を図る。そして、内板４９０は機械的接合部４２０によりユニット固定用骨材４５０に固着される。
本壁構造は以上のように構成してあるので、真空断熱パネル４６５は外板４１０と内板４９０の中間部に固定されるので、損傷を受ける機会を削減することができる。
【００２９】
また、フォークリフトの爪等で内板又は外板が突き破られて真空断熱パネル４６５が損傷を受けた場合でも、この部分の真空断熱パネルユニット４６０のみを交換するだけで、断熱荷箱全体の断熱機能を回復することができるのである。
【００３０】
【発明の効果】
本発明の断熱壁構造は以上のように、外板と内板の間に補強材を介して真空断熱パネルを配設する構造にあって、真空断熱パネルをユニット化して配設し、ユニット状の内板を取り外すことで、ユニットを交換する構成としたものである。したがって、破損してユニットのみを交換することで、断熱効果の低下を最少限に押えることができる。
【図面の簡単な説明】
【図１】車載用の断熱荷箱の構造を示す斜視図。
【図２】断熱壁の一般的な構造を示す断面図。
【図３】真空断熱パネルの断面構造を示す説明図。
【図４】本発明の断熱壁構造を示す断面図。
【図５】本発明の断熱壁構造を示す断面図。
【図６】本発明の断熱壁構造を示す断面図。
【図７】本発明の断熱壁構造を示す断面図。
【符号の説明】
１１０  外板
１２０  リベット接合部
１３０  補強材
１４０  接着剤
１５０  ユニット固定用骨材
１６０  真空断熱パネルユニット
１６２  内板
１６５  真空断熱パネル
【図１】
0003870511.tif 000002
【図２】
0003870511.tif 000003
【図３】
0003870511.tif 000004
【図４】
0003870511.tif 000005
【図５】
0003870511.tif 000006
【図６】
0003870511.tif 000007
【図７】
0003870511.tif 000008